(57)【要約】【課題】ユーザのカメラ使用状態を把握してその状態に合わせてプレビュー画面の出力フレームレートを調節することによって、バッテリーが不必要に消耗されることを防止する携帯端末機のカメラプレビュー画面の表示方法及び装置を提供する。【解決手段】本発明の携帯端末機のカメラプレビュー画面の表示方法は、映像撮影モードに進入した時、予め設定された出力フレームレートでプレビュー画面を表示するステップと、出力フレームレートの変更条件を満足するか否かを確認するステップと、出力フレームレートの変更条件を満足することが確認された場合、変更予定の出力フレームレートでプレビュー画面を表示するステップと、を有する。【選択図】図２
2014057310.tif 000002
【特許請求の範囲】
【請求項１】
携帯端末機のカメラプレビュー画面の表示方法であって、
映像撮影モードに進入した時、予め設定された出力フレームレートでプレビュー画面を表示するステップと、
出力フレームレートの変更条件を満足するか否かを確認するステップと、
前記出力フレームレートの変更条件を満足することが確認された場合、変更予定の出力フレームレートで前記プレビュー画面を表示するステップと、を有することを特徴とするプレビュー画面の表示方法。
【請求項２】
前記予め設定された出力フレームレートでプレビュー画面を表示するステップは、
前記映像撮影モードに進入した時に前記予め設定された出力フレームレートで前記プレビュー画面を表示するステップと、
前記予め設定された出力フレームレートを前記プレビュー画面に表示するステップと、を含むことを特徴とする請求項１に記載のプレビュー画面の表示方法。
【請求項３】
出力フレームレートの変更条件を満足するか否かを確認するステップは、
前記映像撮影モードで映像撮影の準備が完了していないことが確認された場合、前記出力フレームレートの変更条件を満足すると判断するステップと、
前記映像撮影モードで映像撮影の準備が完了したことが確認された場合、前記出力フレームレートの変更条件を満足しないと判断するステップと、を含むことを特徴とする請求項１に記載のプレビュー画面の表示方法。
【請求項４】
メニューが表示された状態及び前記携帯端末機が予め設定された範囲以上で動く状態のうちの少なくとも何れか一つの状態が感知された場合、前記映像撮影の準備が完了していないと判断するステップと、
前記状態のうちの何れか一つの状態が感知されない場合、前記映像撮影の準備が完了したと判断するステップと、を更に含むことを特徴とする請求項３に記載のプレビュー画面の表示方法。
【請求項５】
前記変更予定の出力フレームレートを前記プレビュー画面に表示するステップを更に含むことを特徴とする請求項１に記載のプレビュー画面の表示方法。
【請求項６】
前記出力フレームレートの変更条件を満足しないことが確認された場合、前記予め設定された出力フレームレートで前記プレビュー画面を継続表示するステップを更に含むことを特徴とする請求項１に記載のプレビュー画面の表示方法。
【請求項７】
前記予め設定された出力フレームレートは、複数の高レベルの出力フレームレートのうちの何れか一つを含むことを特徴とする請求項６に記載のプレビュー画面の表示方法。
【請求項８】
前記高レベルの出力フレームレートは、１６フレーム以上の複数のフレームレートのうちの何れか一つの出力フレームレートを含むことを特徴とする請求項７に記載のプレビュー画面の表示方法。
【請求項９】
前記変更予定の出力フレームレートで前記プレビュー画面を表示するステップは、
前記出力フレームレートの変更条件を満足することが確認された場合、複数の低レベルの出力フレームレートのうちの何れか一つを選択して前記変更予定の出力フレームレートに設定するステップと、
前記変更予定の出力フレームレートで前記プレビュー画面を表示するステップと、を含むことを特徴とする請求項１に記載のプレビュー画面の表示方法。
【請求項１０】
前記低レベルの出力フレームレートは、１フレーム〜１５フレームのうちの何れか一つの出力フレームレートを含むことを特徴とする請求項９に記載のプレビュー画面の表示方法。
【請求項１１】
携帯端末機のカメラプレビュー画面の表示装置であって、
映像撮影モードでプレビュー画面を表示する表示部と、
映像撮影モードに進入した時、予め設定された出力フレームレートで前記プレビュー画面を表示し、出力フレームレートの変更条件を満足するか否かを確認して、前記出力フレームレートの変更条件を満足することが確認された場合、変更予定の出力フレームレートで前記プレビュー画面を表示するように制御する制御部と、を備えることを特徴とするプレビュー画面の表示装置。
【請求項１２】
前記制御部は、
前記映像撮影モードに進入した時に前記予め設定された出力フレームレートで前記プレビュー画面を表示し、前記予め設定された出力フレームレートを前記プレビュー画面に表示するように制御することを特徴とする請求項１１に記載のプレビュー画面の表示装置。
【請求項１３】
前記制御部は、
前記映像撮影モードで映像撮影の準備が完了していないことが確認された場合、前記出力フレームレートの変更条件を満足すると判断し、
前記映像撮影モードで映像撮影の準備が完了したことが確認された場合、前記出力フレームレートの変更条件を満足しないと判断するように制御することを特徴とする請求項１１に記載のプレビュー画面の表示装置
【請求項１４】
前記制御部は、
メニューが表示された状態及び前記携帯端末機が予め設定された範囲以上で動く状態のうちの少なくとも何れか一つの状態が感知された場合、前記映像撮影の準備が完了していないと判断し、
前記状態のうちの何れか一つの状態が感知されない場合、前記映像撮影の準備が完了したと判断するように制御することを特徴とする請求項１３に記載のプレビュー画面の表示装置。
【請求項１５】
前記制御部は、
前記変更予定の出力フレームレートを前記プレビュー画面に表示するように制御することを特徴とする請求項１１に記載のプレビュー画面の表示装置。
【請求項１６】
前記制御部は、
前記出力フレームレートの変更条件を満足しないことが確認された場合、前記予め設定された出力フレームレートで前記プレビュー画面を継続表示するように制御することを特徴とする請求項１１に記載のプレビュー画面の表示装置。
【請求項１７】
前記予め設定された出力フレームレートは、複数の高レベルの出力フレームレートのうちの何れか一つを含むことを特徴とする請求項１６に記載のプレビュー画面の表示装置。
【請求項１８】
前記高レベルの出力フレームレートは、１６フレーム以上の複数のフレームレートのうちの何れか一つの出力フレームレートを含むことを特徴とする請求項１７に記載のプレビュー画面の表示装置。
【請求項１９】
前記制御部は、
前記出力フレームレートの変更条件を満足することが確認された場合、複数の低レベルの出力フレームレートのうちの何れか一つを選択して前記変更予定の出力フレームレートに設定し、
前記変更予定の出力フレームレートで前記プレビュー画面を表示するように制御することを特徴とする請求項１１に記載のプレビュー画面の表示装置。
【請求項２０】
前記低レベルの出力フレームレートは、１フレーム〜１５フレームのうちの何れか一つの出力フレームレートを含むことを特徴とする請求項１９に記載のプレビュー画面の表示装置。
【発明の詳細な説明】
【技術分野】
【０００１】
本発明は、携帯端末機に関し、より詳細には、携帯端末機でカメラを利用した撮影を遂行する時に表示されるプレビュー画面の出力フレームを調節する方法及び装置に関する。
【背景技術】
【０００２】
携帯端末機がスマートフォン又はタブレットなどの多様な形態に進化することによって、携帯端末機はユーザに様々な有用な機能を提供するようになり、携帯端末機の使用が普遍化されている。
【０００３】
特に、近年に至って、携帯端末機にカメラモジュールが搭載されることは一般化されており、これを通じて、携帯端末機を利用した映像（スチルイメージ又は動画）撮影機能が広く使用されている。
【０００４】
このように、携帯端末機における映像撮影が普遍化されるにつれ、ユーザの映像撮影を補助する多様な技術が提供されており、これに対する代表的な例としては、ライブビュー（Ｌｉｖｅ  Ｖｉｅｗ）撮影のようにプレビュー画面を表示し、表示されたプレビュー画面を通して被写体を撮影する方法が挙げられる。
【０００５】
プレビュー画面を利用した従来の撮影方法は、表示装置を通して表示されるプレビュー（ｐｒｅｖｉｅｗ）画面を見ながら映像を撮影して、撮影対象である被写体の動きを確認しながら便利に撮影できる機能を提供する。また、プレビュー画面を通して撮影結果を予測できるため、高角度及び低角度のように多様な角度で撮影できて便利である。
【０００６】
一方、プレビュー画面を利用する従来の撮影方法は、撮影アプリケーション（又はメニュー）により設定された固定フレームレート（ｆｐｓ：ｆｒａｍｅ  ｐｅｒ  ｓｅｃｏｎｄ）でプレビュー画面を表示するか、又は最大のフレームレートでプレビュー画面を表示する。
【０００７】
固定フレームレート又は最大のフレームレートでプレビュー画面を表示する場合には、被写体の動きがプレビュー画面上で滑らかに表示される長所はあるが、携帯端末機のバッテリーの消耗を考慮しないため、カメラの利用時に携帯端末機の駆動可能時間が急速に短くなる短所がある。
【０００８】
また、プレビュー画面を利用した従来の撮影方法では、プレビュー画面が表示されている間にユーザが撮影を要請しない場合（例えば、撮影ボタンを入力しない場合）にも、高いフレームレート又は最大のフレームレートでプレビュー画面を表示するため、不必要にバッテリーが消耗される短所がある。
【０００９】
更に、携帯端末機は、限定的なバッテリー容量を有しており、カメラ撮影のように多様なマルチメディア機能をサポートし、アプリケーションをマルチタスキングで駆動させる点などを考慮すると、携帯端末機の電力リソースの効率的な管理が必要である。
【００１０】
従って、カメラ撮影時に不必要に高いフレームレート又は最大のフレームレートでプレビュー画面を表示することによってバッテリーが消耗されることを防止できる発明が提案される必要がある。
【先行技術文献】
【特許文献】
【００１１】
【特許文献１】米国特許出願公開第２００５／００５２５４４号明細書
【発明の概要】
【発明が解決しようとする課題】
【００１２】
本発明は、上記従来の問題点に鑑みてなされたものであって、本発明の目的は、ユーザのカメラ使用状態を把握してその状態に合わせてプレビュー画面の出力フレームレートを調節することによって、バッテリーが不必要に消耗されることを防止する携帯端末機のカメラプレビュー画面の表示方法及び装置を提供することにある。
【課題を解決するための手段】
【００１３】
上記目的を達成するためになされた本発明の一態様による携帯端末機のカメラプレビュー画面の表示方法は、映像撮影モードに進入した時、予め設定された出力フレームレートでプレビュー画面を表示するステップと、出力フレームレートの変更条件を満足するか否かを確認するステップと、前記出力フレームレートの変更条件を満足することが確認された場合、変更予定の出力フレームレートで前記プレビュー画面を表示するステップと、を有する。
【００１４】
前記予め設定された出力フレームレートでプレビュー画面を表示するステップは、前記映像撮影モードに進入した時に前記予め設定された出力フレームレートで前記プレビュー画面を表示するステップと、前記予め設定された出力フレームレートを前記プレビュー画面に表示するステップと、を含み得る。
出力フレームレートの変更条件を満足するか否かを確認するステップは、前記映像撮影モードで映像撮影の準備が完了していないことが確認された場合、前記出力フレームレートの変更条件を満足すると判断するステップと、前記映像撮影モードで映像撮影の準備が完了したことが確認された場合、前記出力フレームレートの変更条件を満足しないと判断するステップと、を含み得る。
前記プレビュー画面の表示方法は、メニューが表示された状態及び前記携帯端末機が予め設定された範囲以上で動く状態のうちの少なくとも何れか一つの状態が感知された場合、前記映像撮影の準備が完了していないと判断し、前記状態のうちの何れか一つの状態が感知されない場合、前記映像撮影の準備が完了したと判断することができる。
前記プレビュー画面の表示方法は、前記変更予定の出力フレームレートを前記プレビュー画面に表示するステップを更に含むことができる。
前記プレビュー画面の表示方法は、前記出力フレームレートの変更条件を満足しないことが確認された場合、前記予め設定された出力フレームレートで前記プレビュー画面を継続表示するステップを更に含むことができる。
前記予め設定された出力フレームレートは、複数の高レベルの出力フレームレートのうちの何れか一つを含み得る。
前記高レベルの出力フレームレートは、１６フレーム以上の複数のフレームレートのうちの何れか一つの出力フレームレートを含み得る。
前記変更予定の出力フレームレートで前記プレビュー画面を表示するステップは、前記出力フレームレートの変更条件を満足することが確認された場合、複数の低レベルの出力フレームレートのうちの何れか一つを選択して前記変更予定の出力フレームレートに設定するステップと、前記変更予定の出力フレームレートで前記プレビュー画面を表示するステップと、を含み得る。
前記低レベルの出力フレームレートは、１フレーム〜１５フレームのうちの何れか一つの出力フレームレートを含み得る。
【００１５】
また、本発明の他の態様による携帯端末機のカメラプレビュー画面の表示方法は、映像撮影モードに進入した時、予め設定された出力フレームレートでプレビュー画面を表示するステップと、前記映像撮影モードの種類を確認するステップと、確認された映像撮影モードの種類によって、予め設定された高レベルの出力フレームレート又は予め設定された低レベルの出力フレームレートで前記プレビュー画面を表示するステップと、を有する。
【００１６】
上記目的を達成するためになされた本発明の一態様による携帯端末機のカメラプレビュー画面の表示装置は、映像撮影モードでプレビュー画面を表示する表示部と、映像撮影モードに進入した時、予め設定された出力フレームレートで前記プレビュー画面を表示し、出力フレームレートの変更条件を満足するか否かを確認して、前記出力フレームレートの変更条件を満足することが確認された場合、変更予定の出力フレームレートで前記プレビュー画面を表示するように制御する制御部と、を備える。
【発明の効果】
【００１７】
本発明によれば、バッテリー消耗の多いカメラ撮影時にも、状態に応じてプレビュー画面の出力フレームレートを調節して不必要な電力消耗を防止することによって、バッテリー消耗を最小化して携帯端末機の使用時間を増加させる利点を提供することができる。
【図面の簡単な説明】
【００１８】
【図１】本発明の一実施形態による携帯端末機のブロック図である。
【図２】本発明の第１の実施形態によるカメラのプレビュー画面を表示する方法のフローチャートである。
【図３Ａ】本発明の第１の実施形態によるカメラのプレビュー画面を表示する方法の第１の例示図である。
【図３Ｂ】本発明の第１の実施形態によるカメラのプレビュー画面を表示する方法の第２の例示図である。
【図３Ｃ】本発明の第１の実施形態によるカメラのプレビュー画面を表示する方法の第３の例示図である。
【図４】本発明の第２の実施形態によるカメラのプレビュー画面を表示する方法のフローチャートである。
【図５Ａ】本発明の第２の実施形態によるカメラのプレビュー画面を表示する方法の第１の例示図である。
【図５Ｂ】本発明の第２の実施形態によるカメラのプレビュー画面を表示する方法の第２の例示図である。
【図５Ｃ】本発明の第２の実施形態によるカメラのプレビュー画面を表示する方法の第３の例示図である。
【発明を実施するための形態】
【００１９】
以下、本発明を実施するための形態の具体例を、図面を参照しながら詳細に説明する。
【００２０】
図１は、本発明の一実施形態による携帯端末機のブロック図である。図１を参照して本発明の一実施形態による携帯端末機について説明する。
【００２１】
先ず、本実施形態による携帯端末機は、カメラを含み、携帯が容易であり、移動可能な電子機器と仮定する。本実施形態による携帯端末機の例として、従来のフィーチャーフォン（ｆｅａｔｕｒｅ  ｐｈｏｎｅ）と、バダ（ｂａｄａ）、タイゼン（Ｔｉｚｅｎ）、ウィンドウズ（登録商標）シリーズ（例えば、ウィンドウズ（登録商標）８）、ｉＯＳ、及びＡｎｄｒｏｉｄなどのＯＳ（オペレーティングシステム）で駆動される機器（例えば、スマートフォン及びタブレット）が挙げられる。更に、本実施形態による携帯端末機は、携帯用コンピュータ（ノートブックＰＣ）又はデジタルカメラ又は画像電話機などであり得る。ここで、本実施形態による携帯端末機は、このような機器に限定されないことは当業者にとって明らかである。
【００２２】
無線送受信部２３は、ＲＦ部とモデム（ＭＯＤＥＭ）を含む。ＲＦ部は、送信する信号の周波数をアップコンバート及び増幅するＲＦ送信機と、受信した信号を低雑音増幅して受信周波数をダウンコンバートするＲＦ受信機などを含む。モデムは、送信する信号を符号化及び変調する送信機とＲＦ部で受信した信号を復調及び復号化する受信機などを含む。
【００２３】
無線送受信部２３を利用して、ユーザは、プレビュー画面を通して撮影した映像をクラウドサーバ又は任意の携帯端末機に伝送することができる。
【００２４】
オーディオ処理部２５は、コーデック（Ｃｏｄｅｃ）で構成され、コーデックは、データコーデック及びオーディオコーデックを含む。データコーデックはパケットデータなどを処理し、オーディオコーデックは音声及びマルチメディアファイルなどのオーディオ信号を処理する。オーディオ処理部２５は、モデムで受信したデジタルオーディオ信号を、オーディオコーデックを通してアナログ信号に変換して再生し、またマイクロフォンから発生したアナログオーディオ信号を、オーディオコーデックを通してデジタルオーディオ信号に変換してモデムに伝送する機能を遂行する。コーデックは、別途に設けられるか又は制御部１０に含まれる。
【００２５】
オーディオ処理部２５を通して、ユーザは、プレビュー画面のフレームレートが変化することを聴覚情報の形態（例えば、スピーカを通して出力される案内情報）で通報を受ける。また、オーディオ処理部２５を通して、ユーザはプレビュー画面を利用した映像撮影の開始及び終了の通報を受ける。
【００２６】
キー入力部２７は、数字及び文字情報の入力に必要なキー、及び各種機能の設定に必要な機能キー又はタッチパッドなどを含む。表示部５０がタッチスクリーン方式で具現される場合、キー入力部２７は予め設定された最小限のキーのみを含み、表示部５０はキー入力部２７のキー入力機能の一部の代わりをする。
【００２７】
キー入力部２７は、カメラ撮影のために割り当てられた別途のキーを含み、カメラ撮影のための別途のキーは、カメラ撮影時に被写体に対するフォーカシングを遂行する半シャッター機能を提供する。この時、被写体に対するフォーカシングは、カメラ撮影のために割り当てられた別途のキー又はプレビュー画面が表示された表示部５０の表示画面をタッチすることによって遂行される。
【００２８】
一方、プレビュー画面が表示された状態で被写体に対するフォーカシングが遂行されない場合、プレビュー画面の出力フレームレートを減少させ、プレビュー画面が表示された状態で被写体に対するフォーカシングが完了した後に、プレビュー画面の出力フレームレートを増加させる。
【００２９】
メモリ３０は、プログラムメモリ及びデータメモリで構成され、プログラムメモリには、携帯端末機の一般的な動作を制御するためのプログラムが保存される。メモリ３０は、ＣＦ（Ｃｏｍｐａｃｔ  Ｆｌａｓｈ）、ＳＤ（Ｓｅｃｕｒｅ  Ｄｉｇｉｔａｌ）、Ｍｉｃｒｏ−ＳＤ（Ｍｉｃｒｏ  Ｓｅｃｕｒｅ  Ｄｉｇｉｔａｌ）、Ｍｉｎｉ−ＳＤ（Ｍｉｎｉ  Ｓｅｃｕｒｅ  Ｄｉｇｉｔａｌ）、ｘＤ（Ｅｘｔｒｅｍｅ  Ｄｉｇｉｔａｌ）、及びＭｅｍｏｒｙ  Ｓｔｉｃｋなどの外付形メモリを更に含むことができる。また、メモリ３０は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｉｓｋ）などのようなディスクを含むこともできる。
【００３０】
表示部５０は、ＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  ＤｉｏｄｅｓとしてＰＭＯＬＥＤ又はＡＭＯＬＥＤ）等からなり、携帯端末機で発生する各種表示情報を出力する。表示部５０は、静電式又は抵抗膜方式又は電磁誘導式などのタッチスクリーン（Ｔｏｕｃｈ  Ｓｃｒｅｅｎ）を含むことで、キー入力部２７と共に携帯端末機を制御する入力部として作動する。
【００３１】
表示部５０の表示画面は、カメラ撮影モードでプレビュー画面（ｐｒｅｖｉｅｗ  ｓｃｒｅｅｎ）を表示し、プレビュー画面を通して、ユーザはカメラモジュール６０を通して入力される被写体を確認することができる。
【００３２】
また、表示部５０のタッチスクリーンを通して、ユーザは、被写体が表示されたプレビュー画面の特定領域を選択（例えば、対応するそれぞれのタッチ入力を通して）し、特定領域に該当する被写体をフォーカシングして撮影するように要請する。また、表示部５０のタッチスクリーンを通して、ユーザは、カメラモジュール６０を通して撮影された結果物（例えば、スチルイメージ）が表示されるように要請する。
【００３３】
カメラモジュール６０は、レンズを通して入力される（又は撮影される）光信号を電気的な映像信号に変換して出力し、ユーザはこれを通じて映像（動画又はスチルイメージ）を撮影する。カメラモジュール６０は、光を集光してカメラセンサに伝達する一つ以上のレンズ（図示せず）と、映像の撮影時に撮影された光信号を電気的な映像信号に変換するカメラセンサ（図示せず）と、撮影された映像を臨時保存するカメラメモリ（図示せず）と、撮影時の周辺状況によって適切な光量を提供するフラッシュ（図示せず）と、カメラモジュール６０の全般的な動作を制御し、カメラセンサを通して撮影されるアナログ映像信号をデジタルデータに変換するカメラ制御部６１とを含む。
【００３４】
レンズは、一つ以上のレンズで構成され、カメラセンサは、ＣＣＤセンサ又はＣＭＯＳセンサなどであり、カメラ制御部６１は、ＩＳＰ（Ｉｍａｇｅ  Ｓｉｇｎａｌ  Ｐｒｏｃｅｓｓｏｒ）又はＤＳＰ（Ｄｉｇｉｔａｌ  Ｓｉｇｎａｌ  Ｐｒｏｃｅｓｓｏｒ）で具現される。ここで、カメラセンサ及びカメラ制御部６１は、一体型で具現されるか又は互いに分離されて具現される。
【００３５】
フラッシュは、キセノン放電管に高圧直流を通した時に瞬間的に発生する放電光を撮影用光源として利用するカメラの付属品であり、通常ストロボ（ｓｔｒｏｂｏ）とも呼ばれるが、これは商品名であり、エレクトロニクスフラッシュ（ｅｌｅｃｔｒｏｎｉｃ  ｆｌａｓｈ）、スピードフラッシュとも言う。電源としては、主に積層乾電池を用いて、必要な高電圧に昇圧させる。その種類としては、ガイドナンバー（ＧＮ）１４〜３０のクリップオンタイプ、ＧＮ３０〜５０のクリップタイプなどがある。発光時間は、１／１、０００秒程度で非常に短く、白色光（自然光）のように非常に明るいため人工光の主要な光源の役割をする。
【００３６】
カメラ制御部６１は、レンズ及びカメラセンサなどを通して撮影される（又は入力される）映像を撮影用映像として制御部１０に出力するようにカメラモジュール６０を制御する。
【００３７】
カメラ制御部６１は、設定（例えば、撮影解像度等）に応じて映像を撮影し、これを携帯端末機の制御部１０が処理するのに適合したフォーマットに圧縮するコーデックを含む。例えば、カメラ制御部６１は、ＪＰＥＧ（ｊｏｉｎｔ  ｐｈｏｔｏｇｒａｐｈｉｃ  ｃｏｄｉｎｇ  ｅｘｐｅｒｔｓ  ｇｒｏｕｐ）フォーマットなどのようなスチルイメージのフォーマット、又はＭＰＥＧ（Ｍｏｖｉｎｇ  Ｐｉｃｔｕｒｅ  Ｅｘｐｅｒｔｓ  Ｇｒｏｕｐ）フォーマットのような動画のフォーマットに圧縮するコーデックを含む。
【００３８】
従って、カメラ制御部６１は、コーデックを通してＪＰＥＧ又はＭＰＥＧフォーマットなどに圧縮された映像を携帯端末機の制御部１０に出力するように制御する。従って、本実施形態において、撮影された映像は、撮影キーが入力されて、ユーザが選択した設定（例えば、解像度、絞り値、及び露光指数のように撮影に関連する設定）に応じて撮影された映像として、ＪＰＥＧ又はＭＰＥＧなどのフォーマットのように制御部１０により処理可能なフォーマットに圧縮（又は変換）された映像を意味する。
【００３９】
一方、カメラ制御部６１は、レンズ及びカメラセンサなどを通して入力された映像をプレビュー画面用に対応するように変換して制御部１０に出力するようにカメラモジュール６０を制御する。例えば、カメラ制御部６１は、カメラセンサなどを通して入力された映像信号をデジタルデータに変換し、変換されたデジタルデータをプレビュー画面の表示に適合したＹＵＶ形式に変換して制御部１０に出力するように制御し、制御部１０は、これを受信して表示部５０を通して出力するように制御する。ここで、ＹＵＶは輝度（Ｌｕｍｉｎａｎｃｅ）であるＹ成分と色相（Ｃｈｒｏｍｉｎａｎｃｅ）であるＵ（Ｃｂ）とＶ（Ｃｒ）成分で構成してピクセルを表現する方式であって、一般的なＲＧＢ方式に比べて小さい帯域幅で伝送可能であるため、プレビュー画面のように撮影される被写体を予め見る用途の映像を表示するのに適している。
【００４０】
また、カメラ制御部６１は、設定された出力フレームレートに対する情報を制御部１０から受信した後、その情報（例えば、設定された変更予定の出力フレームレート）に基づいて、プレビュー画面に適合した映像（例えば、プレビュー画面を通して表示される映像）を制御部１０に出力するように制御する。例えば、制御部６１は、設定された出力フレームレートに基づいてレンズ及びカメラセンサなどを通して入力された映像をプレビュー画面に適合した形式（例えば、ＹＵＶ形式）に変換して、変換された映像を制御部１０に出力するように制御する。その後、制御部１０は、カメラ制御部６１から受信したプレビュー画面に適合した形式に変換された映像を、設定された出力フレームレートに基づいて表示部５０を通して出力するように制御する。
【００４１】
モーションセンサ７０は、携帯端末機の動きを感知する装置であって、ジャイロセンサ、加速度センサ、地磁気センサのうちの少なくとも何れか一つを含んで具現される。モーションセンサ７０を通して、制御部１０は、携帯端末機の動きが予め設定された範囲以上で動くか否かを確認（感知）して、確認結果によってプレビュー画面の出力フレームレートを設定（選択）するように制御する。
【００４２】
制御部１０は、携帯端末機の全般的な動作を制御し、キー入力部２７又は表示部５０等を通して入力されるユーザ入力によって携帯端末機の動作を切換及び制御する。一方、制御部１０は、制限された容量を有するバッテリー（図示せず）の使用を効率的に管理できるように、映像撮影時にプレビュー画面の出力フレームレートを可変的に調節する一連の動作を制御する。
【００４３】
例えば、制御部１０は、携帯端末機のカメラプレビュー画面の表示方法において、映像撮影モードに進入した時、予め設定された出力フレームレートでプレビュー画面を表示するステップと、出力フレームレートの変更条件を満足するか否かを確認するステップと、確認結果、出力フレームレートの変更条件を満足することが確認された場合、変更予定の出力フレームレートを設定するステップと、設定された変更予定の出力フレームレートでプレビュー画面を表示するステップとの遂行、及び関連する一連の動作を制御する。本発明の実施形態による制御部１０の詳細な動作は後述する。
【００４４】
一方、図１のブロック図には、ブルートゥース（登録商標）モジュール、Ｗｉ−Ｆｉモジュール、近接センサ、及びＤＭＢ（Ｄｉｇｉｔａｌ  Ｍｅｄｉａ  Ｂｒｏａｄｃａｓｔｉｎｇ）受信機などのように携帯端末機に含まれ得る装置を示していないが、これらの装置も本実施形態による携帯端末機に含まれて対応する機能を提供することができることは当業者にとって明らかである。
【００４５】
例えば、映像撮影モードでプレビュー画面を表示する途中で近接センサを通してオブジェクト（例えば、ユーザの身体の一部）の接近が感知されると、予め設定された低レベルの出力フレームレートでプレビュー画面が表示されるようにする機能が提供される。
【００４６】
図２は、本発明の第１の実施形態によってカメラのプレビュー画面を表示する方法のフローチャートであり、図３Ａは、本発明の第１の実施形態によってカメラのプレビュー画面を表示する方法の第１の例示図であり、図３Ｂは、本発明の第１の実施形態によってカメラのプレビュー画面を表示する方法の第２の例示図であり、図３Ｃは、本発明の第１の実施形態によってカメラのプレビュー画面を表示する方法の第３の例示図である。これらの図面を参照して本発明の第１の実施形態について説明する。
【００４７】
ステップＳ２０１〜Ｓ２０２で、制御部１０は、映像撮影モードに進入すると、予め設定された出力フレームレートでプレビュー画面を表示するように制御する。
【００４８】
ユーザの要請によってカメラ撮影モードへの進入が要請（例えば、カメラアプリケーションの実行要請）されると、これに対応するように、制御部１０は、カメラ制御部６１の制御を通してカメラモジュール６０が駆動されるように制御する。
【００４９】
次に、カメラ制御部６１は、カメラモジュール６０のレンズ及びカメラセンサなどを通して入力される映像を、予め設定された出力フレームレートでプレビュー画面の表示に適合するように変換（例えば、ＹＵＶ形式に変換）して制御部１０に出力するように制御する。その後、制御部１０は、プレビュー画面の表示に適合するように変換された映像を表示部５０の解像度に適合するように処理した（例えば、リサイジング）後に、予め設定された出力フレームレートで表示部５０のプレビュー画面を通して出力するように制御する。
【００５０】
図３Ａを参照して例を挙げると、ユーザが被写体３００を撮影するためにカメラアプリケーションを実行すると、上述したように、制御部１０は、被写体３００を、プレビュー画面３１０を通して予め設定された出力フレームレートで表示するように制御する。
【００５１】
ここで、予め設定された出力フレームレートは、デフォルト（ｄｅｆａｕｌｔ）設定の出力フレームレートと解され、実施形態によって多様な値を有し、本実施形態では、１５ｆｐｓ又は３０ｆｐｓの値を有すると仮定する。例えば、図３Ａでは、３１５のように予め設定された出力フレームレートを３０ｆｐｓで示す。
【００５２】
本実施形態では、プレビュー画面を表示する場合、現在表示中のプレビュー画面の出力フレームレートを表示する。例えば、図３Ａに示したように、カメラ撮影モードへの進入によって、予め設定された出力フレームレートでプレビュー画面を表示する場合、現在表示中のプレビュー画面の出力フレームレートを図３Ａの３１５のように表示する。これを通じて、ユーザは現在表示中のプレビュー画面の出力フレームレートを容易に確認することができる。
【００５３】
一方、図３Ａを含む例示図で、プレビュー画面３１０が表示画面の大部分を占めるように図示したが、これは説明の便宜のためであり、実施形態の変形によってプレビュー画面が表示画面の一部だけを占めるなど、変形が可能であることは当業者にとって明らかである。
【００５４】
ステップＳ２０３〜Ｓ２０４で、制御部１０は、出力フレームレートの変更条件を満足するか否かを確認して、出力フレームレートの変更条件を満足することが確認されると、変更予定の出力フレームレートを設定するように制御する。
【００５５】
前のステップ及び図３Ａを通して説明したように、映像撮影モードに進入した後に、予め設定された出力フレームレートでプレビュー画面が表示されると、ユーザは携帯端末機を動かしたりメニューを呼び出したりして映像の撮影を準備する。
【００５６】
例えば、ユーザは、携帯端末機を動かして被写体を選択したり、撮影構図を設定したりして映像撮影を準備する。他の例として、ユーザはメニューを通して映像撮影のための設定（例えば、絞り値、シャッタースピード、及び露出指数等）を完了して映像撮影を準備する。
【００５７】
従って、一般的な撮影環境を考慮すると、ユーザが携帯端末機を動かしたりメニューが表示画面（又はプレビュー画面）に表示中であったりした場合は、映像撮影を準備中であると判断し、これは結局、映像撮影の準備が完了していないと判断されることが類推される。そこで、本発明は、本実施形態を通して携帯端末機のバッテリー（図示せず）消耗を最小化できるように、映像撮影の準備が完了する前に高い出力フレームレートでプレビュー画面が表示される問題点を防止（補完）する機能を提供する。
【００５８】
このために、本実施形態は、前のステップＳ２０１〜Ｓ２０２において、予め設定された出力フレームレートでプレビュー画面を表示して、出力フレームレートの変更条件を満足するか否かを確認し、出力フレームレートの変更条件を満足することが確認されると、変更予定の出力フレームレートを設定（選択）する。
【００５９】
本実施形態で、プレビュー画面の出力フレームレートの変更条件を満足するか否かについて、２種類の例を通して説明する。一つの例を図３Ｂに示し、他の例を図３Ｃに示す。
【００６０】
図３Ｂを通して、本実施形態におけるプレビュー画面の出力フレームレートの変更条件を説明する。
【００６１】
図３Ｂに示したように、カメラ撮影（映像撮影）に関連する設定を変更するメニューが表示された場合、本実施形態では、プレビュー画面の出力フレームレートの変更条件を満足するものと見なす。
【００６２】
図３Ｂを参照すると、メニュー３２０は、ユーザの要請により表示されたものであり、表示されたメニューを通して、ユーザは、映像撮影の解像度を設定したり、フラッシュの動作を設定したり、セルフタイマーの時間を設定したり、映像撮影の露出指数を設定したり、映像撮影時の撮影音を設定したり、手ブレ補正を適用するか否かを設定したりする。
【００６３】
従って、制御部１０は、キー入力部２７又は表示部５０のタッチスクリーンを通した入力を通して、図３Ｂに示したようなメニューの表示が要請されてメニューが表示されると、ユーザが映像撮影を準備中であると判断する。結局、制御部１０は、映像撮影が準備中（映像撮影の準備が完了していない）であると判断した場合、プレビュー画面の出力フレームレートの変更条件が満足されたと判断する。
【００６４】
図３Ｃを通して、本実施形態におけるプレビュー画面の出力フレームレートの変更条件を説明する。
【００６５】
ユーザは、撮影構図を設定するために携帯端末機を上下左右に動かしたり、撮影画角の設定のために被写体との距離を調節したり、被写体を選択するために、図３Ｃで３３０、３４０、及び３５０で示したように携帯端末機の位置を変更したりする。
【００６６】
図３Ｃで３３０、３４０、及び３５０で示したように、制御部１０は、モーションセンサ７０を通して、映像撮影モードで携帯端末機が予め設定された範囲以上で動くことが感知された場合、映像撮影の準備が完了していないと判断する。これを通じて、制御部１０は、プレビュー画面の出力フレームレートの変更条件を満足すると判断する。ここで、携帯端末機の動きに関連する予め設定された範囲の程度は、望ましい実施のために設定変更可能なことは当業者にとって明らかである。
【００６７】
上述したように、プレビュー画面の出力フレームレートの変更条件を満足することが確認されると、制御部１０は、変更予定の出力フレームレートが複数の低レベルの出力フレームレートのうちの何れか一つに設定されるように制御する。
【００６８】
即ち、上述したように、プレビュー画面の出力フレームレートの変更条件を満足することが確認されるということは、映像撮影の準備が完了していないことを意味し、これはプレビュー画面の出力フレームレートが低いｆｐｓに設定されても映像撮影に支障を与えないことを意味する。
【００６９】
従って、制御部１０は、低レベルの出力フレームレートに該当する１フレーム〜１５フレームのうちの何れか一つの出力フレームレート（例えば、５ｆｐｓ）を変更予定の出力フレームに設定するように制御する。
【００７０】
一方、上記では、低レベルの出力フレームレートが１フレームから１５フレームの間の何れか一つのフレームであるとして説明し、高レベルの出力フレームレートを１６フレーム以上の複数のフレームのうちの何れか一つのフレームとして説明したが、これは本発明を実施することにおいて設定変更可能であることは当業者にとって明らかである。
【００７１】
一方、ステップＳ２０３の確認結果、出力フレームレートの変更条件を満足しないことが確認されると（例えば、映像撮影の準備が完了したことが確認されると）、制御部１０は、複数の高レベルの出力フレームレート（例えば、１６フレーム以上の複数の出力フレームレート）のうちの何れか一つの出力フレームレートでプレビュー画面が表示されるように制御する。
【００７２】
この時、本実施形態の変形によって、高レベルの出力フレームレートで表示されるプレビュー画面は、ステップＳ２０２で説明した予め設定された出力フレームレートで表示される。例えば、高レベルの出力フレームレートは、１６フレーム以上の複数のフレームレートのうちの何れか一つの出力フレームレートであり、例えば図３の３１５で示したように３０ｆｐｓの出力フレームレートである。
【００７３】
ステップＳ２０５〜Ｓ２０７で、制御部１０は、現在設定された出力フレームレートと変更予定の出力フレームレートが同一であるか否かを確認し、同一でないことが確認された場合、変更予定の出力フレームレートで表示画面が表示されるように設定し、映像撮影モードが終了する時まで前のステップを反復するように制御する。
【００７４】
図３Ｂに示したような３２０のカメラ撮影に関連するメニューは、カメラ撮影モードが終了するまで表示されてその後再び表示されないこともあり、図３Ｃに示したように携帯端末機は持続的に動きが反復することもある。
【００７５】
従って、図３Ｂの３２０のようなメニューが表示されたり、携帯端末機が持続的に動いたりしても、反復的にプレビュー画面の出力フレームレートを変更することは望ましくない。
【００７６】
例えば、図３Ｂの３２０のようなメニューが表示されて低レベルの出力フレームレート（例えば、５ｆｐｓ）でプレビュー画面が表示された場合、図３Ｃを通して説明した通り、携帯端末機が動いて出力フレームレートを再び低レベルの出力フレームレートに変更することは不必要なプロセスになる。
【００７７】
従って、制御部１０は、現在設定された出力フレームレートと変更予定の出力フレームレートを比較し、現在設定された出力フレームレートと変更予定の出力フレームレートが異なる場合にのみ、設定された変更予定の出力フレームレートでプレビュー画面が表示設定されるように制御する。
【００７８】
制御部１０は、変更予定の出力フレームレートに対する情報をカメラ制御部６１に伝達して、これに対応してカメラ制御部６１は、変更予定の出力フレームレートでプレビュー画面に適合した映像（例えば、プレビュー画面を通して表示される映像）を制御部１０に出力するように制御する。
【００７９】
例えば、カメラ制御部６１は、設定された出力フレームレート（変更予定の出力フレームレート）に基づいてレンズ及びカメラセンサなどを通して入力される映像をプレビュー画面に適合した形式（例えば、ＹＵＶ形式）に変換して、変換された映像を制御部１０に出力するように制御する。その後、制御部１０は、カメラ制御部６１から受信した映像（例えば、プレビュー画面に適合した形式に変換された映像）を、設定された出力フレームレート（例えば、変更予定の出力フレームレート）に基づいて表示部５０を通して出力するように制御する。
【００８０】
上述した本発明の第１の実施形態を通して、図３Ｂのようにメニュー３２０が表示されたり、図３Ｃのように携帯端末機が予め設定された範囲以上で動いたりする場合、プレビュー画面の出力フレームレートは３２５又は３５５ａ〜３５５ｃで示したように５ｆｐｓ（低レベルの出力フレームレート）になる。
【００８１】
上述した第１の実施形態を通して、映像撮影を準備中である時（上述したメニューが表示中であるか又は携帯端末機が動く時）には、プレビュー画面の表示のためのプロセス負荷を最小化してバッテリー（図示せず）の消耗を減らし、発熱を減少させることができる。
【００８２】
一方、本実施形態の変形を通してステップＳ２０５は省略することができる。
【００８３】
図４は、本発明の第２の実施形態によってカメラのプレビュー画面を表示する方法のフローチャートであり、図５Ａは、本発明の第２の実施形態によってカメラのプレビュー画面を表示する方法の第１の例示図であり、図５Ｂは、本発明の第２の実施形態によってカメラのプレビュー画面を表示する方法の第２の例示図であり、図５Ｃは、本発明の第２の実施形態によってカメラのプレビュー画面を表示する方法の第３の例示図である。これらの図面を参照して本発明の第２の実施形態について説明する。
【００８４】
ステップＳ４０１〜Ｓ４０２で、制御部１０は、映像撮影モードに進入すると、予め設定された出力フレームレートでプレビュー画面を表示するように制御する。
【００８５】
ステップＳ４０１〜Ｓ４０２は、ステップＳ２０１〜Ｓ２０２に対する説明を通して理解されるため、詳細な説明は省略する。
【００８６】
ステップＳ４０３〜Ｓ４０５で、制御部１０は、映像撮影モードの種類を確認して、確認された映像撮影モードの種類によって、予め設定された高レベルの出力フレームレート又は予め設定された低レベルの出力フレームレートでプレビュー画面が表示されるように設定する。
【００８７】
本発明の第２の実施形態で記述する映像撮影モードは、静的撮影モードと動的撮影モードを含む。動的撮影モードは、被写体の動きが速い撮影モードに該当し、静的撮影モードは被写体の動きが遅い撮影モードに該当する。
【００８８】
図５Ｃを参照すると、静的撮影モード５５０には、自然風景のように被写体の動きが遅く一般的に高い絞り値で撮影が遂行される風景撮影と、被写体の動きが殆どない文書を撮影する文書撮影などが含まれる。ここで、静的撮影モードは、図５Ｃで示した風景撮影と文書撮影以外の撮影モードを含み、他に暗い状態で被写体を撮影するために長期間の露出（シャッタースピードが遅い）で映像を撮影する長期間の露出撮影などを含む。
【００８９】
また、動的撮影モード５６０には、人間のように目を瞬いて表情の変化がよく発生する被写体を撮影する人物撮影と、スポーツ競技のように速い速度で動く被写体を撮影するスポーツ撮影などが含まれる。ここで、動的撮影モードは、図５Ｃに示した人物撮影及びスポーツ撮影以外の撮影モードを含む。
【００９０】
上述したように、ゆっくり動く被写体を撮影する静的撮影モードが適用されて映像撮影が遂行される場合には、被写体を高い出力フレームレートでプレビュー画面に表示する必要がない。これと反対に、早く動く被写体を撮影する動的撮影モードでは、低い出力フレームレートでプレビュー画面が表示されると、撮影しようとする被写体の正確な動きを確認することができないため、プレビュー画面を高い出力フレームレートで表示する必要がある。
【００９１】
従って、制御部１０は、映像撮影モードが動的撮影モードであることが確認されると、予め設定された高レベルの出力フレームレートでプレビュー画面が表示されるように設定する。その後、制御部１０は、設定を反映して、予め設定された高レベルの出力フレームレートでプレビュー画面が表示されるように制御する。
【００９２】
図５Ａを参照して例を挙げると、被写体５１５が人である場合、表情の変化が速かにプレビュー画面５１０に表示される必要があるため、制御部１０は、予め設定された高レベルの出力フレームレート（例えば、３０ｆｐｓ）でプレビュー画面を表示するように設定した後に、５２０のように３０ｆｐｓの出力フレームレートでプレビュー画面を表示するように制御する。ユーザは、プレビュー画面５１０を通して被写体５１５の動きを確認しながら、現在適用中の（出力中の）プレビュー画面の出力フレームレート５２０も確認することができる。
【００９３】
また、制御部１０は、映像撮影モードが静的撮影モードであることが確認されると、予め設定された低レベルの出力フレームレートでプレビュー画面が表示されるように設定する。その後、制御部１０は、設定を反映して、予め設定された低レベルの出力フレームレートでプレビュー画面が表示されるように制御する。
【００９４】
図５Ｂを参照すると、被写体５３５が自然風景である場合、被写体の動きが遅いため、被写体の動きの変化がプレビュー画面５３０にゆっくり反映されても問題がない。従って、制御部１０は、静的撮影モードでは、予め設定された低レベルの出力フレームレート（例えば、１０ｆｐｓ）でプレビュー画面を表示するように設定した後に、５４０のように１０ｆｐｓの出力フレームレートでプレビュー画面を表示するように制御する。ユーザは、プレビュー画面５３０を通して被写体５３５の動きを確認しながら、プレビュー画面５３０に現在適用中の（出力中の）プレビュー画面の出力フレームレート５４０を確認することができる。
【００９５】
一方、本発明の第２の実施形態における予め設定された低レベルの出力フレームレートは１フレーム〜１５フレームのうちの何れか一つの出力フレームレートを含み、予め設定された高レベルの出力フレームレートは１６フレーム以上の複数のフレームレートのうちの何れか一つの出力フレームレートを含む。従って、予め設定された高レベルの出力フレームレートが３０ｆｐｓに限定されず、予め設定された低レベルの出力フレームレートが１０ｆｐｓに限定されないことは当業者にとって明らかである。
【００９６】
ステップＳ４０６〜Ｓ４０７で、制御部１０は、映像撮影モードが変更されるか又は映像撮影モードが終了するまで、前のステップを反復遂行するように制御する。
【００９７】
制御部１０は、映像撮影モードが終了するまで、映像撮影モードの種類に応じて、予め設定された高い出力フレームレート又は予め設定された低い出力フレームレートでプレビュー画面が表示されるように設定した後、設定された出力フレームレートでプレビュー画面が表示されるように制御する。
【００９８】
上述した本発明の実施形態を通して、バッテリー消耗が多いカメラ撮影時にも、状態に応じてプレビュー画面の出力フレームレートを調節して不必要な電力消耗を防止することによって、バッテリー消耗を最小化して携帯端末機の使用時間を増加させる利点を提供することができる。
【００９９】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１００】
１０    制御部
２３    無線送受信部
２５    オーディオ処理部
２７    キー入力部
３０    メモリ
５０    表示部
６０    カメラモジュール
７０    モーションセンサ
６１    カメラ制御部
３００、５１５、５３５    被写体
３１０、５１０、５３０    プレビュー画面
３１５、３２５、３５５ａ〜ｃ、５２０、５４０    出力フレームレート
３２０    メニュー
５５０    静的撮影モード
５６０    動的撮影モード
【図１】
2014057310.tif 000003
【図２】
2014057310.tif 000004
【図３Ａ】
2014057310.tif 000005
【図３Ｂ】
2014057310.tif 000006
【図３Ｃ】
2014057310.tif 000007
【図４】
2014057310.tif 000008
【図５Ａ】
2014057310.tif 000009
【図５Ｂ】
2014057310.tif 000010
【図５Ｃ】
2014057310.tif 000011